(57)【要約】【課題】構成部品の個数を削減可能であり、自動組立工程に適したランプソケット、これを有するバックライトアセンブリ及び表示装置、ランプモジュールの組立方法を提供する。【解決手段】ランプソケットは、ソケット本体３０と、第１及び第２ランプ接続端子４１，４５を有する電源印加部材４０と、を含む。第１及び第２ランプ接続端子４１，４５は、ランプソケットの側面から観察してＹ字状をなすように配置される。第１及び第２ランプ接続端子４１，４５を上方から加圧するランプローディング部ＬＭは、第１及び第２ランプ接続端子４１，４５を互いに離隔させてから両者の間にランプの電極部５５を配置する。そして、ランプローディング部ＬＭが上方に離脱すると、第１及び第２ランプ接続端子４１，４５が元の形状を復復して電極部５５を固定する。従って、ソケットカバーを省略でき自動組立工程における不良発生頻度を減らすことができる。【選択図】図５
2008084867.tif 000002
【特許請求の範囲】
【請求項１】
接続ホールが形成されたソケット本体と、
前記接続ホールに挿入され、互いに対向する第１ランプ接続端子及び第２ランプ接続端子を有する電源印加部材と、を含み、
前記第１ランプ接続端子は、前記接続ホール内を延伸する第１固定部、及び前記第１固定部の上端から延長形成され、前記接続ホールの第１内壁に向かって屈曲された第１ガイド部を有し、
前記第２ランプ接続端子は、前記接続ホール内を延伸する第２固定部、及び前記第２固定部の上端から延長形成され、前記第１内壁に対向する第２内壁側に向かって屈曲された第２ガイド部を有することを特徴とするランプソケット。
【請求項２】
前記第１ガイド部及び前記第２ガイド部は、前記ランプソケットの側面から観察するとＶ字状になるように配置され、前記接続ホールの上部から内部に向かって印加された力を、前記第１ガイド部及び前記第２ガイド部から前記ランプソケットの前記第１内壁及び前記第２内壁にそれぞれ向かう方向の力に変換することを特徴とする請求項１に記載のランプソケット。
【請求項３】
前記第１ランプ接続端子及び前記第２ランプ接続端子は、前記ランプソケットの側面から観察するとＹ字状になるように配置されることを特徴とする請求項２に記載のランプソケット。
【請求項４】
前記ソケット本体の内部に形成され、前記接続ホールに連通するインバータ挿入ホールを更に含むことを特徴とする請求項２に記載のランプソケット。
【請求項５】
前記電源印加部材は、前記第１ランプ接続端子及び前記第２ランプ接続端子と一体に形成され、前記インバータ挿入ホール内で露出されるインバータ接続端子を更に含むことを特徴とする請求項４に記載のランプソケット。
【請求項６】
前記電源印加部材は、前記インバータ接続端子と前記第１ランプ接続端子及び前記第２ランプ接続端子をそれぞれ連結する連結部を更に含むことを特徴とする請求項５に記載のランプソケット。
【請求項７】
前記第１ランプ接続端子に連結される前記連結部の上端には、前記第２固定部が屈曲される量を制限する第１変形防止突起が形成され、
前記第２ランプ接続端子に連結される前記連結部の上端には、前記第１固定部が屈曲される量を制限する第２変形防止突起が形成されることを特徴とする請求項６に記載のランプソケット。
【請求項８】
複数の開口が形成された底板、及び前記底板の四辺に配置された側壁を含む収納容器と、
ランプ本体、及び前記ランプ本体の端部に形成された電極部を有し、前記底板上に配置された複数のランプと、
前記収納容器の内側に連通する接続ホールが形成されたソケット本体、並びに互いに対向し、それぞれ前記電極部を加圧する第１固定部及び第２固定部、及び前記第１固定部及び前記第２固定部の上端からそれぞれ延長形成され、前記接続ホールの互いに対向する第１内壁及び第２内壁に向かってそれぞれ屈曲された第１ガイド部及び第２ガイド部を備えた第１ランプ接続端子及び第２ランプ接続端子を有し、前記接続ホールに挿入された電源印加部材を含み、前記開口の各々に挿入された複数のランプソケットと、
前記底板に結合され、前記電源印加部材にランプ駆動電圧を印加する電源供給基板と、を含むことを特徴とするバックライトアセンブリ。
【請求項９】
前記第１ガイド部及び第２ガイド部は、前記ランプソケットの側面から観察するとＶ字状になるように配置されることを特徴とする請求項８に記載のバックライトアセンブリ。
【請求項１０】
前記ソケット本体には、前記底板の背面に向かって開口するインバータ挿入ホールが更に形成されることを特徴とする請求項８に記載のバックライトアセンブリ。
【請求項１１】
前記電源印加部材は、前記インバータ挿入ホール内で露出されたインバータ接続端子を更に含むことを特徴とする請求項１０に記載のバックライトアセンブリ。
【請求項１２】
前記底板上に配置され、前記ランプソケットの各々を固定するためのソケット固定部が形成された連結プレートを更に含むことを特徴とする請求項１１に記載のバックライトアセンブリ。
【請求項１３】
前記電源供給基板の一側部は、前記インバータ挿入ホールに挿入され、前記一側部には前記インバータ接続端子に接触する電源出力端子が形成されることを特徴とする請求項１１に記載のバックライトアセンブリ。
【請求項１４】
複数の開口が形成された底板、及び前記底板の四辺に配置された側壁を含む収納容器と、
ランプ本体及び前記ランプ本体の端部に形成された電極部を有し、前記底板上に配置された複数のランプと、
前記底板の背面の下方に位置するインバータ挿入ホール、及び前記収納容器の内側に位置する接続ホールが各々形成され、前記開口に各々挿入された複数のソケット本体と、
互いに対向し、それぞれ前記電極部を加圧する第１固定部及び第２固定部と、前記第１固定部及び前記第２固定部の上端からそれぞれ延長形成され、前記接続ホールの互いに対向する第１内壁及び第２内壁に向かってそれぞれ屈曲された第１ガイド部及び第２ガイド部と、を備え、前記接続ホール内に配置された第１ランプ接続端子及び第２ランプ接続端子、及び前記インバータ挿入ホール内に配置されたインバータ接続端子を有する電源印加部材と、
前記インバータ接続端子にランプ駆動電圧を印加するために一側部が前記インバータ挿入ホールに挿入された電源供給基板と、
前記ソケット本体をカバーするサイドカバーと、
前記サイドカバーによって支持される光学シートと、
前記光学シート上に配置された表示パネルと、を含む表示装置。
【請求項１５】
側面から観察してＹ字状をなすように互いに対向して配置される第１ランプ接続端子及び第２ランプ接続端子を含むランプソケットの上部に、ランプの電極部を把持するランプローディング部を配置するステップと、
前記ランプローティング部の先端部によって、Ｙ字状をなす前記第１ランプ接続端子及び前記第２ランプ接続端子の上部を加圧して前記第１ランプ接続端子及び第２ランプ接続端子を互いに離隔させるステップと、
離隔した第１ランプ接続端子及び第２ランプ接続端子の間にランプの電極部を配置するステップと、
前記第１ランプ接続端子及び第２ランプ接続端子が元の形状を回復して前記電極部を加圧できるように、前記ランプローディング部を前記第１ランプ接続端子及び前記第２ランプ接続端子の上方に離脱させるステップと、を含むことを特徴とするランプモジュールの組立方法。
【請求項１６】
前記第１ランプ接続端子及び第２ランプ接続端子を互いに離隔させるステップにおいて、前記第１ランプ接続端子及び前記第２ランプ接続端子の上部を加圧する前記ランプローディング部の前記先端部は、Ｖ字状をなしており、下降するとＹ字状をなす前記第１ランプ接続端子及び前記第２ランプ接続端子の上部に係合することを特徴とする請求項１５に記載のランプモジュールの組立方法。
【発明の詳細な説明】
【技術分野】
【０００１】
本発明は、ランプソケット、これを有するバックライトアセンブリ及び表示装置、ランプモジュールの組立方法に関する。より詳細には、自動組立工程に適合したランプソケット、これを有するバックライトアセンブリ及び表示装置、ランプモジュールの組立方法に関する。
【背景技術】
【０００２】
一般的に、液晶表示装置に採用されるバックライトアセンブリは、光源の配置によって直下型バックライトアセンブリ、及びエッジ型バックライトアセンブリに区分される。
【０００３】
バックライトアセンブリに使用される光源としては、冷陰極蛍光ランプが代表的で、冷陰極蛍光ランプが採用された直下型バックライトアセンブリは、収納容器の底板上にランプを固定するためにランプソケットを含むことができる。複数個のランプの組立が容易になるように、ランプの電極部と結合されたランプソケットを含むバックライトアセンブリが開発されている。
【０００４】
従来のランプソケットは、ソケット本体、電源印加部材、及びソケットカバーを含む。電源印加部材は、インバータとランプのリード線を電気的に結合する。従来のランプソケットの組立工程は、電源印加部材をソケット本体に形成されたホールに挿入して、電源印加部材の端子にランプのリード線を挿入した後、ソケットカバーをソケット本体に挿入してランプのリード線を固定するというものである。
【０００５】
しかし、ランプソケットはそれ自体が多数の構成部分からなる上、ランプを正しい位置に配置した後にソケットカバーを締結しなければならないので、工程数が増加するという問題点がある。また、ランプとランプソケットの組立に先立ち複数個のランプソケットを整列板に締結する際に、ランプソケットがランプローディング装置によって加圧されて損傷を受け、ランプソケットに不良が発生するという問題点がある。
【０００６】
また、バックライトアセンブリ組立時には、ランプに駆動電圧を提供するために、複数個のランプソケット及びインバータにワイヤーを半田付けするか、または、複数個のランプソケットの端子を直接インバータに半田付けすることにより両者を連結している。
【０００７】
そのため、バックライトアセンブリ組立時の所要時間が長くなる上、半田付け工程においてランプの損傷が頻繁に発生するという問題点がある。また、不良なインバータを交替する際に、ランプをランプソケットから完全に分離した後にインバータを交替しなければならないため、作業効率が低下するという問題点がある。
【発明の開示】
【発明が解決しようとする課題】
【０００８】
本発明は、上記のような従来技術の問題点に鑑みてなされたものであり、本発明の目的は、構成部分数が削減可能であり自動組立工程に適したランプソケットを提供することである。
【０００９】
本発明の他の目的は、上記のランプソケットを含んでおり、組立時間の短縮が可能なバックライトアセンブリを提供することである。
【００１０】
本発明の更に他の目的は、上記のランプソケットを含む表示装置を提供することである。
【００１１】
本発明の更に他の目的は、上記のランプソケットを含むランプモジュールの組立方法を提供することである。
【課題を解決するための手段】
【００１２】
前術の本発明の目的を達成するための一実施形態によるランプソケットは、接続ホールが形成されたソケット本体及び電源印加部材を含む。電源印加部材は、接続ホールに挿入され、互いに対向する第１ランプ接続端子及び第２ランプ接続端子を含む。第１ランプ接続端子は、第１固定部及び第１ガイド部を含む。第１固定部は接続ホール内を延伸し、第１ガイド部は第１固定部の上端から延長形成され接続ホールの第１内壁に向かって屈曲されている。第２ランプ接続端子は、第２固定部及び第２ガイド部を含む。第２固定部は、接続ホール内延伸する。第２ガイド部は、第２固定部の上端から延長形成され第１内壁に平行な接続ホールの第２内壁に向かって屈曲されている。
【００１３】
本発明の一実施形態において、第１ガイド部及び第２ガイド部はＶ字状になるように配置され、接続ホールの上部から内部に向かって印加された力を、第１ガイド部及び第２ガイド部からランプソケットの第１内壁及び第２内壁にそれぞれ向かう方向の力に変換する。ランプソケットの側面から観察すると、第１ランプ接続端子及び第２ランプ接続端子は、Ｙ字状をなすように配置されている。ランプソケットは、ソケット本体の内部に形成され、接続ホールに連通するインバータ挿入ホールを更に含むことができる。電源印加部材は、インバータ接続端子を更に含むことができる。インバータ接続端子は、第１ランプ接続端子及び第２ランプ接続端子と一体に形成され、インバータ挿入ホール内で露出されている。電源印加部材は、インバータ接続端子と第１ランプ接続端子及び第２ランプ接続端子をそれぞれ連結する連結部を更に含む。第１ランプ接続端子に連結される連結部の上端には、第２固定部が屈曲される量を拘束する第１変形防止突起が形成されており、第２ランプ接続端子に連結される連結部の上端には、第１固定部が屈曲される量を拘束する第２変形防止突起が形成されている。
【００１４】
前術の本発明の他の目的を実現するための一実施形態によるバックライトアセンブリは、収納容器、複数のランプ、複数のランプソケット、及び電源供給基板を含む。収納容器は、複数の開口が形成された底板、及び底板の四辺に配置された側壁を含む。ランプは、ランプ本体、及びランプ本体の端部に形成された電極部を含み、底板上に配置される。ランプソケットは、ソケット本体及び電源印加部材を含み、開口の各々に挿入されている。ソケット本体には、収納容器の内側に連通する接続ホールが形成されている。電源印加部材は、第１ランプ接続端子及び第２ランプ接続端子を含む。第１ランプ接続端子及び第２ランプ接続端子は、それぞれ固定部及びガイド部を含む。第１ランプ接続端子及び第２ランプ接続端子のそれぞれの固定部は、互いに対向して電極部を加圧する。第１ランプ接続端子及び第２ランプ接続端子のそれぞれのガイド部は、それぞれの固定部の上端から延長形成され、互いに対向する接続ホールの内壁に向かってそれぞれ屈曲されている。電源供給基板は、底板の背面に配置され、電源印加部材にランプ駆動電圧を印加する。
【００１５】
本発明の一実施形態において、第１ランプ接続端子及び第２ランプ接続端子のそれぞれのガイド部は、Ｖ字状をなすように配置されている。ソケット本体には、底板の背面に向かって開口するインバータ挿入ホールが更に形成されることができる。電源印加部材は、インバータ挿入ホール内で露出されたインバータ接続端子を更に含むことができる。バックライトアセンブリは、底板に配置された連結プレートを更に含むことができる。連結プレートには、各々のランプソケットを固定するためのソケット固定部が形成されている。電源供給基板の一側部は、インバータ挿入ホールに挿入され、電源供給基板の当該一側部にはインバータ接続端子に接触する電源出力端子が形成されている。
【００１６】
前術の本発明の更に他の目的を実現するための一実施形態による表示装置は、収納容器、複数のランプ、複数のソケット本体、電源印加部材、サイドカバー、光学シート、及び表示パネルを含む。収納容器は、複数の開口が形成された底板、及び側壁を含む。ランプは、ランプ本体、及びランプ本体の端部に形成された電極部を含み、底板上に配置されている。各ソケット本体は、各々の開口に挿入されており、ソケット本体には底板の背面の下方に位置するインバータ挿入ホール、及び収納容器の内側に位置する接続ホールが形成されている。電源印加部材は、第１ランプ接続端子及び第２ランプ接続端子を含む。第１ランプ接続端子及び第２ランプ接続端子は、それぞれ固定部及びガイド部を含む。それぞれの固定部は、互いに対向し、電極部を加圧する。それぞれのガイド部は、それぞれの固定部の上端から延長形成され、互いに対向する接続ホールの内壁に向かってそれぞれ屈曲されている。インバータ接続端子は、第１ランプ接続端子及び第２ランプ接続端子と一体に形成され、インバータ挿入ホール内で露出される。電源供給基板は、一側部がインバータ挿入ホールに挿入されており、インバータ接続端子にランプ駆動電圧を印加する。サイドカバーはソケット本体をカバーする。光学シートはサイドカバーによって支持される。表示パネルは、光学シート上に配置される。
【００１７】
前術の本発明の更に他の目的を実現するための一実施形態によるランプモジュールの組立方法は、側面から観察してＹ字状をなすように互いに対向して配置された第１及び第２ランプ接続端子を含むランプソケットの上部に、ランプの電極部を把持するランプローディング部を配置するステップと、ランプローティング部の先端部によって、Ｙ字状をなす第１ランプ接続端子及び第２ランプ接続端子の上部を加圧して第１ランプ接続端子及び第２ランプ接続端子を互いに離隔させるステップと、離隔した第１ランプ接続端子及び第２ランプ接続端子の間にランプの電極部を配置するステップと、第１ランプ接続端子及び第２ランプ接続端子が元の形状を回復して電極部を加圧できるように、前記ランプローディング部を前記第１ランプ接続端子及び前記第２ランプ接続端子の上方に離脱させるステップと、を含む。
【００１８】
本発明の一実施形態において、第１ランプ接続端子及び第２ランプ接続端子を互いに離隔させるステップにおいて、第１ランプ接続端子及び第２ランプ接続端子の上部を加圧するランプローディング部の先端部は、Ｖ字状をなしており、下降するとＹ字状をなす第１ランプ接続端子及び第２ランプ接続端子の上部に係合することを特徴とする。
【発明の効果】
【００１９】
このようなランプソケット、これを有するバックライトアセンブリ及び表示装置、ランプモジュールの組立方法によれば、ランプソケットの構成部品の個数、及びランプとランプソケットを組み立てる際の工程数を削減することができるとともに、ランプソケットとランプ及び電源供給ユニットとのワイヤリング及び半田付けのための工程が省略することができるので、バックライトアセンブリ及び表示装置の組立性が向上し、電源供給基板をより容易にリワークすることが可能になる。
【発明を実施するための最良の形態】
【００２０】
以下、添付図面を参照して本発明の好ましい実施形態について詳細に説明する。
【００２１】
＜ランプソケット＞
図１は、本発明の一実施形態によるランプソケットの斜視図である。図２は、図１に図示されたランプソケットの分解斜視図である。
【００２２】
図１及び図２を参照すると、ランプソケット２０は、ソケット本体３０及び電源印加部材４０を含む。ランプソケット２０は、表示装置の背面から光を提供するランプを収納容器に固定して、ランプにランプ駆動電圧を印加する機能を果たす。
【００２３】
ソケット本体３０は略六面体形状のモールド成形物で、ソケット本体３０の上部には接続ホール３５が形成されている。ソケット本体３０の下部には接続ホール３５に連通するインバータ挿入ホール３１が更に形成されうる。具体的には、インバータ挿入ホール３１はソケット本体３０の下面に向かって開口しており、接続ホール３５はソケット本体３０の上面に向かって開口している。さらに、インバータ挿入ホール３１及び接続ホール３５は、ソケット本体３０の互いに対向する両側面に向かって開口しうる。ソケット本体３０の外側面には、他の部品との結合時にキャッチングジョーとして作用するキャッチング突起３９がソケット本体３０を取り囲むように突出形成されている。ソケット本体３０の上面には、ラウンド形状のランプガイド溝３７が形成されている。ランプガイド溝３７は、接続ホール３５に隣接して形成されている。
【００２４】
電源印加部材４０は、インバータ挿入ホール３１に向かってソケット本体３０内に挿入され、接続ホール内で露出される。電源印加部材４０は導電性を有するメタルからなり、インバータとランプの電極部を電気的に連結する。電源印加部材４０は、第１ランプ接続端子４１及び第２ランプ接続端子４５を含む。電源印加部材４０は、第１ランプ接続端子４１及び第２ランプ接続端子４５と一体に形成されたインバータ接続端子４８を更に含むことができる。インバータ接続端子４８はインバータ挿入ホール３１内で露出されており、第１ランプ接続端子４１及び第２ランプ接続端子４５は接続ホール３５内で露出されている。
【００２５】
図３は、図２に図示された電源印加部材の斜視図である。図４は、図２に図示されたランプソケットをＩ−Ｉ´に沿って切断した断面図である。
【００２６】
図３及び図４を参照すると、電源印加部材４０は、インバータ接続端子４８と、第１ランプ接続端子４１及び第２ランプ接続端子４５の双方と一体に形成された連結部４９を更に含む。プレート形状をなす連結部４９は、インバータ接続端子４８を第１ランプ接続端子４１及び第２ランプ接続端子４５に連結する。
【００２７】
第１ランプ接続端子４１は、連結部４９とほぼ垂直をなしており、連結部４９の左側に連結される。第２ランプ接続端子４５は、連結部４９とほぼ垂直をなしており、連結部４９の右側に連結される。
【００２８】
第１ランプ接続端子４１は、第１固定部４２及び第１ガイド部４３を含む。第１固定部４２は、連結部４９の左側からソケット２０上面に向かって延伸している。第１ガイド部４３は、第１固定部４２の上端から更に上方に延長形成され、第１固定部４２の上端において接続ホール３５の内壁に向かって屈曲されている。第２ランプ接続端子４５は、第２固定部４６及び第２ガイド部４７を含む。第２固定部４６は、第１固定部４２と対向しており、連結部４９の右側のからソケット２０の上面に向かって延伸している。第２ガイド部４７は、第２固定部４６の上端から更に上方に延長形成され、第１固定部４２の上端において第１ガイド部４３とは反対方向の接続ホール３５の内壁に向かって屈曲されている。
【００２９】
その結果、ランプソケット２０の側面から観察すると、第１ガイド部４３及び第２ガイド部４７はＶ字状をなすように配置され、第１ランプ接続端子４１及び第２ランプ接続端子４５はほぼＹ字状をなすように配置される。これにより接続ホール３５の上部から下部に向かって印加された力を左右方向の力に変換する。
【００３０】
第１固定部４２の下端には第１変形防止突起４２ａが形成され、前記第２固定部４６の下端には第２変形防止突起４６ａが形成される。第１変形防止突起４２ａは第２固定部４６の下端を拘束し、第２変形防止突起４６ａは第１固定部４２の下端を拘束することにより、第１ランプ接続端子４１及び第２ランプ接続端子４５を互いに離隔する方向に折り曲げることができるようにする。
【００３１】
インバータ接続端子４８は、インバータ挿入ホール３１に挿入される電源供給基板の電源出力端子に物理的に接触することにより、これと電気的に連結される。インバータ接続端子４８は多様な形状を有することができるが、弾性的接触を確保するためにスプリング形状、例えば、板スプリング形状を有することが好ましい。
【００３２】
本実施形態において、インバータ接続端子４８は、支持部４８ａ及び電源入力部４８ｂを含む。支持部４８ａは、図４に示すように、連結部４９の下端から延長形成され、インバータホール３１の内側面の下端に向かいインバータ挿入ホール３１の底面に沿って延伸する。電源入力部４８ｂは、支持部４８ａの端部から延長形成されており、支持部４８ａに折り重なるように支持部４８ａの端部において折り曲げられている。また、電源入力部４８ｂは、インバータ挿入ホール３１の内側面近傍から凸状に延伸する。従って、外力が印加されるか、除去されることにより、電源入力部４８ｂは弾性変形してフラットになるか、元の形状を回復する。
【００３３】
本実施形態において、ランプソケット２０とランプ５０を結合したランプモジュールの組立は、ランプローディング装置を利用した自動化工程によって行われる。以下、図５〜図９を参照してランプモジュールの組立方法について説明する。
【００３４】
図５は、図１に図示されたランプソケット、及びランプとローディングするためのランプローディング部の斜視図である。
【００３５】
図５を参照すると、ランプ５０は、ランプ本体５１及びランプ本体５１の端部に形成された電極部５５を含む。ランプ５０は、冷陰極蛍光ランプ又は外部電極ランプでありうる。ランプ５０が冷陰極形状ランプである場合、電極部５５は、図５に示すような細い棒状の導電性リード線５５である。
【００３６】
ランプローディング装置のローディング部ＬＭは、互いに対向するように組み立てられ、クランプとして機能する第１クランプＬ１及び第２クランプＬ２を含むことが好ましい。ランプ５０のリード線５５は、第１クランプＬ１と第２クランプＬ２の間にホールドされている。第１クランプＬ１及び第２クランプＬ２の先端部には、それぞれ傾斜面が形成されている。側面から観察すると、組み立てられた第１クランプＬ１及び第２区ランプＬ２の先端部は、各々の傾斜面によってＶ字状をなす。
【００３７】
図６〜図９は、図１に図示されたランプソケットにランプを組み立てる工程を示す断面図である。
【００３８】
図６を参照すると、ランプ５０のリード線５５をホールドしているランプローディング部ＬＭは、ランプソケット２０の上方からランプソケット２０に向かって下降する。下降したランプローディング部ＬＭは、図７に示すように、Ｙ字状をなす第１ランプ接続端子４１及び第２ランプ接続端子４５の上部に接触する。
【００３９】
具体的に、第１ランプ接続端子４１の第１ガイド部４３は、第１クランプＬ１の端部に形成された傾斜面に接触され、第２ランプ接続端子４５の第２ガイド部４７は、第２クランプＬ２の端部に形成された傾斜面に接触される。第１クランプＬ１と第２クランプＬ２が更に下降すると、第１ランプ接続端子４１及び第２ランプ接続端子４５を互いに所定間隔だけ離隔させる。この際、ランプ５０のリード線５５は、図８に示すように、ランプローディング部ＬＭを離れて第１固定部４２及び第２固定部４６の間に安着する。
【００４０】
第１固定部４２及び第２固定部４６の下端に形成された第１変形防止突起４２ａ及び第２変形防止突起４６ａは、ランプ５０のリード線５５が第１固定部４２及び第２固定部４６よりも下に落下することを防止する。また、第１変形防止突起４２ａ及び第２変形防止突起４６ａは、ランプローディング部ＬＭの先端部がＹ字状に配置された第１ランプ接続端子４１及び第２ランプ接続端子４５の上部を加圧する際に、第１ランプ接続端子４１及び第２ランプ接続端子４５の間隔が過度に広くなることを防止するとともに、第１ランプ接続端子４１及び第２ランプ接続端子４５が元の形状を回復できないほど大きく変形されることを防止する。
【００４１】
ランプローディング部ＬＭが第１ガイド部４３及び第２ガイド部４７から離脱すると、第１ランプ接続端子４１及び第２ランプ接続端子４５が元の形状を回復し、第１固定部４２及び第２固定部４６はランプ５０のリード線５５を加圧しながら固定する。
【００４２】
＜電源印加モジュール＞
図１０は、本発明の一実施形態による電源印加モジュールの斜視図である。図１１は、図１０に図示された電源印加モジュールの分解斜視図である。図１２は、図１０に図示された電源印加モジュールをＩＩ−ＩＩ´に沿って切断した断面図である。
【００４３】
図１０〜図１２を参照すると、電源印加モジュール２００は、複数のランプを結合することができるように連結プレート２６０、複数のソケット本体２３０、及び複数の電源印加部材２４０を含んでいる。
【００４４】
連結プレート２６０は、一方向に長く延長されたプレート形状を有する。連結プレート２６０には、複数のソケット固定部２６５が一定間隔で形成される。ソケット固定部２６５は、連結プレート２６０に形成された開口からなる。他の実施形態において、ソケット固定部２６５は、連結プレート２６０の長手方向に沿って形成された溝であってもよい。
【００４５】
ソケット本体２３０は、図１、図２、及び図４に図示されたソケット本体３０と実質的に同一のものである。
【００４６】
電源印加部材２４０は、図１〜図４に図示された電源印加部材４０と実質的に同一のものである。電源印加部材２４０と結合された各ソケット本体２３０は、各ソケット固定部２６５に挿入される。ソケット本体２３０に形成されたインバータ挿入ホール２３１は、連結プレート２６０の下面に向かって開口する。ソケット本体２３０に形成された接続ホール２３５は連結プレート２６０の上面に向かって開口する。
【００４７】
＜バックライトアセンブリ＞
図１３は、本発明の一実施形態によるバックライトアセンブリの分解斜視図である。図１４は、図１３に図示されたバックライトアセンブリをＩＩＩ−ＩＩＩ´に沿って切断した断面図である。
【００４８】
図１３及び図１４を参照すると、バックライトアセンブリ４００は、収納容器４１０、複数のランプソケット４２０、複数のランプ４５０、及び電源供給基板４７０を含む。
【００４９】
収納容器４１０は、底板４０５、底板４０５の四辺に配置された第１側壁４１１、第２側壁４１３、第３側壁４１５、及び第４側壁４１７を含む。第１側壁４１１及び第２側壁４１３は互いに対向するように配置される。第３側壁４１５及び第４側壁４１７は互いに対向するように配置され、第１側壁４１１及び第２側壁４１３にそれぞれ連結される。第１側壁４１１、第２側壁４１３、第３側壁４１５、及び第４側壁４１７の上端には段差部が形成される。第１側壁４１１及び第２側壁４１３の周辺の底板４０５には多数の開口４０７が形成される。
【００５０】
ランプソケット４２０は、図１〜図４に図示されたランプソケット２０と実質的に同一のものである。
【００５１】
各々のランプ４５０は、ランプローディング装置により、図５〜図９に関して説明したのと同じ方法で各々のランプソケット４２０に結合される。ここで、ランプ４５０は、全て同時にランプソケット４２０に結合されてもよいし、複数回に分けて結合されてもよい。各々のランプ４５０は、底板４０５と平行をなすように配置されて光を出射する。ここで、ランプ４５０は、その長手方向が第１側壁４１１から第２側壁４１３に向かう方向と平行になるように配置される。
【００５２】
ランプ４５０は、ランプ本体４５１及び電極部４５５を含む。ランプ本体４５１は円筒形状を有しており、内部にアルゴンや水銀等放電ガスが注入される。ランプ本体４５１の端部には、電極部４５５が配置される。電極部４５５は、放電電極及びリード線４５５を含む。放電電極はランプ本体４５１の内部に配置され、リード線４５５は放電電極からランプ本体４５１の外部に延長される。他の実施形態において、ランプ４５０は、外部電極蛍光ランプでありうる。
【００５３】
バックライトアセンブリ４００は、連結プレート４６０を更に含むことができる。連結プレート４６０は、図１０〜図１２に図示された連結プレート２６０と同一のものである。各ランプソケット４２０は、連結プレート４６０に形成された各々の開口に挿入される。連結プレート４６０は、バックライトアセンブリ４００の組立時に、第１側壁４１１及び第２側壁４１３の近傍にそれぞれ配置される。連結プレート４６０に挿入された複数のランプソケット４２０の各々は、底板４０５に形成された複数の開口４０７の各々にさらに挿入される。この際、ランプソケット４２０のインバータ挿入ホールは底板４０５の背面の下方に位置し、ランプソケット４２０の接続ホールは収納容器４１０の内側に位置する。
【００５４】
バックライトアセンブリ４００は、反射板３４０を更に含むことができる。反射板３４０は、収納容器４１０の底板４０５上に配置されランプ４５０から出射した光を上方に反射する。
【００５５】
電源供給基板４７０は、底板４０５の背面側に配置されており、ランプ駆動電圧を出力する。電源供給基板４７０は、印刷回路基板及び印刷回路基板に実装された電源供給素子を含むことができる。
【００５６】
電源供給基板４７０の一側部はランプソケット４２０のインバータ挿入ホールに挿入される。電源供給基板４７０の当該一側部における、ランプソケット４２０のインバータ挿入ホールに対応する部分には、各々インバータ挿入ホールに挿入される複数の突起が突出形成されている。その結果、電源供給基板４７０の一側部は多数の切欠きを有する。
【００５７】
電源供給基板４７０の当該一側部に突出形成された各々の突起には電源出力端子４７３が形成される。電源出力端子４７３は、例えば、印刷回路基板に形成された導電配線の一部を露出させることにより形成されうる。
【００５８】
バックライトアセンブリ４００は、電源供給基板４７０を保護するとともに電磁波の流入及び流出を遮断する保護ケース４７５を更に含むことができる。
【００５９】
バックライトアセンブリ４００は、一対のサイドカバー４８０を更に含むことができる。
【００６０】
各サイドカバー４８０は、第１側壁４１１及び第２側壁４１３側に配置されたランプソケット４２０をそれぞれカバーしながら保護する。
【００６１】
＜表示装置＞
図１６は、本発明の一実施形態による表示装置の分解斜視図である。図１７は、図１６に図示された表示装置をＶ−Ｖ´に沿って切断した断面図である。
【００６２】
図１６及び図１７を参照すると、表示装置６００は、収納容器６１０、複数のランプソケット６２０、複数のランプ６５０、連結プレート６６０、電源供給基板６７０、サイドカバー６８０、光学シート７１０、及び表示パネル７５０を含む。
【００６３】
収納容器６１０、複数のランプソケット６２０、連結プレート６６０、複数のランプ６５０、電源供給基板６７０、サイドカバー６８０は、図１３及び図１４に図示したのと実質的に同一のものある。
【００６４】
光学シート７１０は、ランプ６５０から出射された光の光学特性を向上させる。光学シート７１０は、順次積層された拡散板７１１、拡散シート７１３、及び集光シート７１５を含むことができる。拡散板７１１、拡散シート７１３、及び集光シート７１５は、第３側壁６１５、第４側壁６１７、及びサイドカバー６８０に形成された段差部によって支持される。
【００６５】
拡散板７１１は、ランプ６５０から出射された光を拡散させて輝度均一性を向上させる。拡散シート７１３は、拡散板７１１によってランダムに拡散された光を一定な拡散角を有する拡散光に変換する。集光シート７１５は、拡散光を互いに異なる２方向、好ましくは、互いに垂直をなす２方向に集光して、ランプ６５０から出射した光の正面輝度を向上させる。
【００６６】
表示装置６００は、ミドルフレームカバー７３０を更に含むことができる。ミドルフレームカバー７３０は、光学シート７１０の周縁部をカバーした状態で収納容器６１０に収納される。
【００６７】
表示パネル７５０は、光学シート７１０から出射された光に基づいて画像を表示する。表示パネル７５０は、第１基板７５１、第１基板７５１と対向する第２基板７５５、及び第１基板７５１と第２基板７５５との間にそれぞれ介在する液晶層を含む。
【００６８】
表示装置６００は、印刷回路基板７５７及び連結フィルム７５８を更に含むことができる。印刷回路基板７５７は、表示パネル７５０にパネル駆動信号を与える。連結フィルム７５８の一側部は、第１基板７５１の一側部に電気的に連結され、連結フィルム７５８の他の側部は、印刷回路基板７５７と電気的に連結される。
【００６９】
表示装置６００は、表示パネル７５０の有効表示領域を露出させた状態で収納容器６１０又はミドルフレームモールド７３０と結合するトップシャーシ７７０を更に含むことができる。
【産業上の利用可能性】
【００７０】
以上で詳細に説明した本発明によるランプソケットは、ソケットカバーが省略され、２つの部品、即ち、ソケット本体及び電源印加部材のみから構成されることができる。従って、ランプソケット、並びにこれを有する電源印加モジュール、バックライトアセンブリ、及び表示装置の構成部品の個数が減らすことができる。また、電源印加部材の第１ランプ接続端子及び第２ランプ接続端子は、これら自体がランプの自動ローディングに適した形状を有しているため、これらをランプソケットによって加圧する必要がなくなる。従って、自動組立工程においてソケットカバーが加圧されることにより生じる不良を防止することができる。
【００７１】
以上、本発明の実施形態について詳細に説明したが、本発明はこれに限定されず、本発明が属する技術分野において通常の知識を有するものであれば本発明の技術的思想から逸脱することなく、本発明を修正または変更できる。
【図面の簡単な説明】
【００７２】
【図１】本発明の一実施形態によるランプソケットの斜視図である。
【図２】図１に図示されたランプソケットの分解斜視図である。
【図３】図２に図示された電源印加部材の斜視図である。
【図４】図２に図示されたランプソケットをＩ−Ｉ´に沿って切断した断面図である。
【図５】図１に図示されたランプソケットにランプをローディングするためのランプローディング部の斜視図である。
【図６】図１に図示されたランプソケットにランプを組み立てる工程を示す断面図である。
【図７】図１に図示されたランプソケットにランプを組み立てる工程を示す断面図である。
【図８】図１に図示されたランプソケットにランプを組み立てる工程を示す断面図である。
【図９】図１に図示されたランプソケットにランプを組み立てる工程を示す断面図である。
【図１０】本発明の一実施形態による電源印加モジュールの斜視図である。
【図１１】図１０に図示された電源印加モジュールの分解斜視図である。
【図１２】図１０に図示された電源印加モジュールをＩＩ−ＩＩ´に沿って切断した断面図である。
【図１３】本発明の一実施形態によるバックライトアセンブリの分解斜視図である。
【図１４】図１３に図示されたバックライトアセンブリをＩＩＩ−ＩＩＩ´に沿って切断した断面図である。
【図１５】図１３に図示されたバックライトアセンブリをＩＶ−ＩＶ´に沿って切断した断面図である。
【図１６】本発明の一実施形態による表示装置の分解斜視図である。
【図１７】図１６に図示された表示装置をＶ−Ｖ´に沿って切断した断面図である。
【符号の説明】
【００７３】
２０    ランプソケット、
３０    ソケット本体、
３１    インバータ挿入ホール、
３５    接続ホール、
３７    ランプガイド溝、
３９    キャッチング突起、
４０    電源印加部材、
４１    ランプ接続端子、
４２    固定部、
４２ａ  変形防止突起、
４３    ガイド部、
４５    ランプ接続端子、
４６    固定部、
４６ａ  変形防止突起、
４７    ガイド部、
２００  電源印加モジュール、
２６０  連結プレート、
２６５  ソケット固定部、
４００  バックライトアセンブリ、
４１０  収納容器、
４２０  ランプソケット、
４５０  ランプ、
４６０  連結プレート、
４７０  電源供給基板、
４８０  サイドカバー、
６００  表示装置、
７１０  光学シート、
７５０  表示パネル。
【図１】
2008084867.tif 000003
【図２】
2008084867.tif 000004
【図３】
2008084867.tif 000005
【図４】
2008084867.tif 000006
【図５】
2008084867.tif 000007
【図６】
2008084867.tif 000008
【図７】
2008084867.tif 000009
【図８】
2008084867.tif 000010
【図９】
2008084867.tif 000011
【図１０】
2008084867.tif 000012
【図１１】
2008084867.tif 000013
【図１２】
2008084867.tif 000014
【図１３】
2008084867.tif 000015
【図１４】
2008084867.tif 000016
【図１５】
2008084867.tif 000017
【図１６】
2008084867.tif 000018
【図１７】
2008084867.tif 000019